(57)【特許請求の範囲】
【請求項１】
ケーシング内に設けた高速ロータと、その斜上に設けた低速ロータとよりなり、両ロータの回転軸が水平で回転方向が同一であって、高速ロータの外周面に形成した複数の円環溝内に等間隔に打撃杆の基部を水平小径軸で遊支し、低速ロータは回転軸の両端に設けた円板の外周に沿って両円板を接続する複数の水平支軸に互に近接する複数の反撥棒の基部を遊支し、上記円板間に水平支軸の中間部に反撥棒中程受ピンを架設し、かつ上記水平支軸の回動側に反撥棒の基部止ピンを架設し、高速ロータの上方に投入口を設けてなる付着性原料用衝撃式破砕機。
【請求項２】
上記反撥棒間に短冊状板を介在させ、これを水平支軸に遊支してなる請求項（１）  記載の付着性原料用衝撃式破砕機。
【請求項３】
上記ケーシング内に複数の反撥棒を遊支している水平支軸と斜交したロッドを円板の外周の下向回動側の外側に架設した請求項（１）  又は（２）  記載の付着性原料用衝撃式破砕機。
【請求項４】
低速ロータの下方に高速ロータに複数の撹拌杆を並設遊支した撹拌装置を設けた請求項（１）  （２）  又は（３）  のいずれかに記載の付着性原料用衝撃式破砕機。
【発明の詳細な説明】
【０００１】
【発明の属する技術分野】
本発明は付着性原料の居付防止形衝撃式破砕機に関するものである。
【０００２】
【従来の技術】
衝撃式破砕機における反撥装置の目的は、ロータに固定された打撃板で衝撃破砕された被破砕物を、その衝撃によって得られたエネルギーを利用して被破砕物が飛行し、反撥装置に取付られた反撥板に衝突することによって再度破砕を行わせるもので、通常、反撥板は２〜３段階でロータとある角度を以って対面し取り付けられているため、要求の粒度になるまで被破砕物がロータと反撥装置の間を幾何学的に飛行と衝撃破砕を繰り返す。また、機構的には、反撥装置は衝突のエネルギーを受け止めるために、破砕機を構成するケーシングに固定されている。
【０００３】
しかしながら、付着性の有る原料破砕に於いて反撥装置を固定すると、反撥装置の破砕面に被破砕物が居付くため、この居付きが破砕時の被破砕物と反撥装置との間のクッションの役割を果たし、衝突のエネルギーを受け止めることが出来ず、本来の破砕性能を著しく低下させる。
【０００４】
更に居付が成長すると、ロータと反撥装置との間でこの居付が障害物となり、最悪の場合、破砕機自体の停止に至る。
【０００５】
【発明が解決しようとする課題】
本発明は付着性原料の居付を防止する衝撃式破砕機を得ることを目的とする。
【０００６】
【課題を解決するための手段】
上記の目的を達成するため本発明は
ケーシング内に設けた高速ロータと、その斜上に設けた低速ロータとよりなり、両ロータの回転軸が水平で回転方向が同一であって、高速ロータの外周面に形成した複数の円環溝内に等間隔に打撃杆の基部を水平小径軸で遊支し、低速ロータは回転軸の両端に設けた円板の外周に沿って両円板を接続する複数の水平支軸に互に近接する複数の反撥棒の基部を遊支し、上記円板間に水平支軸の中間部に反撥棒中程受ピンを架設し、かつ上記水平支軸の回動側に反撥棒の基部止ピンを架設し、高速ロータの上方に投入口を設けてなる付着性原料用衝撃式破砕機
上記反撥棒間に短冊状板を介在させ、これを水平支軸に遊支してなる上記第１発明記載の付着性原料用衝撃式破砕機
上記ケーシング内に複数の反撥棒を遊支している水平支軸と斜交したロッドを円板の外周の下向回動側の外側に架設した上記第１又は第２発明記載の付着性原料用衝撃式破砕機
低速ロータの下方に高速ロータに複数の撹拌杆を並設遊支した撹拌装置を設けた上記第１、第２又は第３発明のいずれかに記載の付着性原料用衝撃式破砕機
によって構成される。
【０００７】
【発明の実施の形態】
本発明ではケーシング１の上部に設けられかつ高速ロータ２の上方に設けた投入口１２から残土などの付着性原料を投入する。
【０００８】
投入前に高速及び低速ロータ２、３を同一方向（矢印方向）に回転する。投入された付着性原料は先ず高速ロータ２の複数の柵状に整列した打撃杆５によって低速ロータ３に向かって斜上向に打撃力を受け、個々の打撃杆５によって付着性原料は割砕され、飛行して低速ロータ３の柵状に垂下した反撥棒９、反撥棒９、９間の短冊状板１３に衝突してさらに小さく割砕される。
【０００９】
衝突に際して反撥棒９や短冊状板１３は互に水平支軸８を中心に隣接反撥棒９、９相互に搖動（振り子運動）が異なり、そのためさらに小さく割砕される。
【００１０】
反撥棒９への付着物は、反撥棒９に単独に居付を生じているものと、隣り合う反撥棒９、９の間に居付を生じているものの２つの状況があるが、単独に居付いているものには、被破砕物が衝突した際の衝撃により、また、反撥棒９の間に居付いているものは、異なった振り子運動によって居付物内部に生じる剪断力によって、それぞれ払い落とされる。
【００１１】
更に、低速ロータ３は高速ロータ２より低速で回転しているため、反撥棒９がロータ３の上部で横向の状態になった際は被破砕物との接触は無く、特に反撥棒９は重心位置変化後の急激な回転によって、基部止ピン１１との衝突が起き、この段階でも払い落とすことができる。即ち横向の状態からさらに回動すると反撥棒９や短冊状板１３は水平支軸８を中心に自重により外側に自転し反撥棒９及び短冊状板１３は基部止ピン１１に干渉して１度衝撃状態に止められ、その衝撃によって反撥棒９及び短冊状板１３に居付いた付着原料は慣性によって反撥棒９又は短冊状板１３から分離し、分離した状態で反撥棒９、短冊状板１３は垂直に下方に垂下しこれを繰返すものである。
【００１２】
又図４、図６及び図７では反撥棒９及び短冊状板１３は水平支軸８を中心に自重により外側に自転して斜交したロッド２２に順次１個宛さみだれ状に当接し、基部止ピン１１に１度に衝撃状態に止められることはなく１度の衝撃は反撥棒９及び短冊状板１３の数に分散されるため１度の衝撃振動は大幅に低減される。
【００１３】
さらに低速ロータ３から落下する被破砕物は高速撹拌杆１９によって充分撹拌される。
【００１４】
即ち次のような特徴が発揮される。
【００１５】
ａ）機能分担
・１段目の高速ロータで破砕、解砕を行う。
・１段目のロータには被破砕（解砕）物と、例えば、水分除去用の生石灰が同時に投入されるために、破砕（解砕）された被破砕物と生石灰とが混合された状態で２段目の反撥装置に当たり、ここでも破砕（解砕）を繰り返す。
・２段目の反撥装置を通った被破砕（解砕）物は、３段目の撹拌用ロータにて撹拌及び再解砕されるために、生石灰との撹拌効果が挙がる。
ｂ）機構的な特徴
・破砕、解砕、撹拌を１台の機械で行うことが出来る。
・破砕（解砕）装置、反撥装置、撹拌装置はそれぞれの駆動装置を持ち、原料の性状によって、回転数を自由に変化させることが出来る。
・破砕（解砕）装置と撹拌装置のロータの相対速度（相対周速）は同じではない。
・破砕（解砕）装置と撹拌装置のロータに取付くハンマは大きさ、幅等が異なり、概して撹拌装置用のハンマの方が幅が薄い。
【００１６】
【実施例】
ケーシング１内に高速ロータ２をケーシング１内隅下部に架設した水平高速回転軸２’に設け、該ロータ２は多数の円板１４、１４を上記回転軸２’と同心に集積し、キイにより回転方向に固定する。各円板１４、１４間の外周には円環溝４が形成され、該溝４には開き角４５度毎に等間隔に水平小径軸６を挿通し、該小径軸６に打撃杆５の基部を遊支してなるものである。この打撃杆５の先端には図２に示すようにスペーサ又は錘５’を設けることができる。上記高速回転軸２’の回転によって打撃杆５は柵状に並んで高速回転し、投入された付着性原料例えば残土、粘土質岩石、礫岩等を割砕又は破砕し、割砕又は破砕物は高速ロータ２の回転方向に飛行する。
【００１７】
上記高速ロータ２の斜上にはケーシング１内に高速ロータ２の高速回転軸２’と平行な低速水平回転軸３’を架設し、該回転軸３’の両端には同心円板７、７を固定し、該回転軸３’と共に高速ロータ２の回転方向と同一方向に低速回転させるものである。高速及び低速水平回転軸２’、３’はケーシング１の外側に設けた軸受１５、１５に支持され、その外側端部に駆動調車１６、１７が設けられ高速水平回転軸２’の駆動調車１６の外径は大で低速水平回転軸３’の外径は小であり、駆動ベルト（図示していない）を掛回して高速ロータ２は汎用電動機により、低速ロータ３は減速電動機により駆動される。
【００１８】
上記両端に設けた円板７、７の外周に沿って両円板７、７を接続する複数の水平支軸８（２〜６個）に互に接近する多数の横断面円形又は角形の反撥棒９の基部を遊支し、上記円板７、７間にかつ上記水平支軸８の中間部に反撥棒９の中程受ピン１０を架設する。
【００１９】
又上記水平支軸８の回動側に反撥棒９の基部止ピン１１を円板７、７間に架設して低速ロータ３を形成し、高速ロータ２の上方に原料投入口１２を設けてなるものである。又上記反撥棒９、９の間に短冊状板１３を介在させ、これを水平支軸８に遊支する。
【００２０】
上記ケーシング１内には複数の反撥棒９の基部を遊支している水平支軸８と斜交したロッド２２（マジカルスティック）を円板７の外周の下向回動側（図４左側）に図６に示すように架設する。ロッド２２は図４に示すように上下方向に傾斜しかつ図６に示すように水平方向にも若干傾斜させる。それによって反撥棒９の重心が左方に移動し、自重で左側に回動する際順次該ロッド２２に衝接して該ロッド２２から離れ、１個宛順次下向に回動して基部止ピン１１に当るから、複数１度の衝撃はさみだれ状に緩和される。
【００２１】
又図４に示すように低速ロータ３の下方に高速水平回転軸３”をケーシング１内に架設し、該軸３”に多数の同心円板１４’を固定し、隣接円板１４’、１４’間に形成した溝内に撹拌杆１９の基部を共通軸２０で遊支し撹拌装置２１を形成する。
【００２２】
尚図中１８で示すものは反撥棒９の位置ずらし用４角棒である。
【００２３】
【発明の効果】
本発明は上述のように高速ロータの打撃杆によって被破砕物が破砕されて飛ばされ、すだれ状に垂下している反撥棒に衝突し、衝突に際し隣接反撥棒はそれぞれ水平支軸を中心とした異なった振り子運動を行うこと及び低速ロータの上方に回動して横向になった後さらに回動し水平支軸を中心として外側に重心が回動して基部止ピンに衝接し、その慣性によって居付物は分離下降し、衝撃破砕機における被破砕物の居付きを防止し得る効果がある。
【図面の簡単な説明】
【図１】本発明の付着性原料用衝撃式破砕機を示す側面図である。
【図２】図１の一部正面図である。
【図３】反撥棒の端面図である。
【図４】本発明の付着性原料用衝撃式破砕機を示す側面図である。
【図５】図４を右から見た正面図である。
【図６】図４の一部平面図である。
【図７】図４の一部動作図である。
【符号の説明】
１        ケーシング
２        高速ロータ
３        低速ロータ
２’      高速回転軸
３’      低速回転軸
４        円環溝
５        打撃杆
６        水平小径軸
７        円板
８        水平支軸
９        反撥棒
１０        反撥棒中程受ピン
１１        基部止ピン
１２        投入口
１３        短冊状板
【図１】
0003583864.tif 000002
【図２】
0003583864.tif 000003
【図３】
0003583864.tif 000004
【図４】
0003583864.tif 000005
【図５】
0003583864.tif 000006
【図６】
0003583864.tif 000007
【図７】
0003583864.tif 000008